(57)【要約】      （修正有）【課題】電子機器の表示部と本体部とを回転可能に連結するヒンジ装置であって、本体部に対して表示部を回転させた際にケーブル挿通孔を通り本体部と表示部を電気的に接続するケーブルの捩れがより少ないヒンジ装置を提供すること。【解決手段】電子機器の本体部と連結されるベースプレート１１と、ベースプレート１１に対して回転可能に配設され、電子機器の表示部と連結される回転体１２とを有し、回転体１２には、表示部と本体部とを電気的に接続するケーブルが挿通される貫通孔が形成され、貫通孔周りに回転体１２が回転するヒンジ装置１０であって、貫通孔は、一方側が長方形状に開口し、他方側が長方形状の短手方向の長さよりも大きな径の円形状に開口している。【選択図】図３
2011169407.tif 000002
【特許請求の範囲】
【請求項１】
電子機器の本体部と連結されるベースプレートと、
該ベースプレートに対して回転可能に配設され、前記電子機器の表示部と連結される回転体とを有し、
該回転体には、前記表示部と前記本体部とを電気的に接続するケーブルが挿通される貫通孔が形成され、該貫通孔周りに前記回転体が回転するヒンジ装置であって、
前記貫通孔は、一方側が長方形状に開口し、他方側が前記長方形状の短手方向の長さよりも大きな径の円形状に開口していることを特徴とするヒンジ装置。
【請求項２】
前記回転体は、内孔が前記貫通孔となっている円筒状の胴体部と、該胴体部の外周から突出したリング状の張り出し部と、を有し、
前記胴体部を前記ベースプレートに形成された貫通孔に挿通させるとともに、外周面にネジ溝が形成された円筒状のネジ部材を前記胴体部の貫通孔に嵌入させ、前記ネジ部材の頭部と前記張り出し部によって、ベースプレートを挟持していることを特徴とする請求項１に記載のヒンジ装置。
【発明の詳細な説明】
【技術分野】
【０００１】
本発明は、電子機器の表示部と本体部とを回転可能に連結するヒンジ装置に関するものである。
【背景技術】
【０００２】
従来、上述のようなヒンジ装置として、所謂コンバーチブル型タブレットＰＣと呼ばれるノートブック型パーソナルコンピュータ（以下、ノート型ＰＣと記す）に使用されているヒンジ装置（例えば、特許文献１参照）がある。
【０００３】
以下、この種のノート型ＰＣに使用されるヒンジ装置について、図１３〜図１５に基づいて説明する。このヒンジ装置１０１は、ノート型ＰＣの表示部と本体部とを２軸周りに回転可能に連結するものである。ヒンジ装置１０１は、ベースプレート１０２と、ベースプレート１０２に対して回転可能に配設されている回転体１０３と、を有している。
【０００４】
ベースプレート１０２は、ノート型ＰＣの本体部に固定される部分であり、略板状に形成されている。ベースプレート１０２の中央部分には、表裏を貫通する貫通孔が形成されている。この貫通孔に、回転体１０３が挿通されている。回転体１０３は、表示部が連結される部分であり、上下に伸びる胴体部１０４と、胴体部１０４の上部から左右に延在する腕部１０５と、から構成されている。
【０００５】
腕部１０５の左右両端部には、表示部に固定される回転部材１０６が配設されている。回転部材１０６は、腕部１０５の延在方向に伸びる回転軸周りに回転するように配設されている。従って、回転部材１０６に表示部が固定された際には、表示部が腕部１０５に対して、腕部１０５の延在方向に伸びる回転軸周りに回転するようになっている。
【０００６】
また、胴体部１０４の上部は、直方体状に形成された表示部側胴体部１０４ａとなっている。表示部側胴体部１０４ａは、表示部の厚みと同程度の厚みに形成されている。また、この表示部側胴体部１０４ａの長手方向両側面から腕部１０５が延在している。胴体部１０４の下部は、略円柱状に形成された本体部側胴体部となっている。本体部側胴体部と表示部側胴体部１０４ａの間は、本体部側胴体部よりも大きな径の円盤状に形成された円盤状部１０７となっている。
【０００７】
また、胴体部１０４には、上下に貫通するケーブル挿通孔１０８が形成されている。ケーブル挿通孔１０８は、表示部側胴体部１０４ａと円盤状部１０７と本体部側胴体部とを上下に貫通するように形成されている。また、ケーブル挿通孔１０８は、断面が略長方形状に形成され、本体部側胴体部の中心軸と同軸配置となっている。ケーブル挿通孔１０８には、本体部と表示部とを電気的に接続するケーブルが挿通される。回転体１０３は、ケーブル挿通孔１０８の中心軸を回転軸として回転するようにベースプレート１０２に配設されている。
【０００８】
回転体１０３は、本体部側胴体部を複数のリング状の回転位置決め部材１０９ａ，１０９ｂに挿通するとともに、ベースプレート１０２の貫通孔に挿通させ、円盤状部１０７とベースプレート１０２の上面によって回転位置決め部材１０９ａ，１０９ｂを挟持するようにしている。本体部側胴体部の先端部は、ベースプレート１０２の貫通孔から突出し、リング状の回転位置決め部材１０９ｃとスプリング部材１１０とに挿通されている。本体部側胴体部の先端側端部には、リング板状のボトムプレート１１１が２本のネジ１１２によって固定されている。ボトムプレート１１１は、本体側胴体部１０４の径よりも大きな径に形成され、ボトムプレート１１１とベースプレート１０２によって回転位置決め部材１０９ｃとスプリング部材１１０を挟持するようになっている。
【０００９】
このヒンジ装置１０１は、ボトムプレート１１１によりスプリング部材１１０と回転位置決め部材１０９ｃをベースプレート１０２に押圧して、回転位置決め部材１０９ｃ及び回転位置決め部材とベースプレート１０２との間に働く摩擦力によって、表示部を回転した際の操作の重みを出している。
【先行技術文献】
【特許文献】
【００１０】
【特許文献１】特開２００４−３４０３８３号公報
【発明の概要】
【発明が解決しようとする課題】
【００１１】
しかし、上述のようなヒンジ装置１０１を備えたノート型ＰＣにおいて、表示部を本体部に対して、上下方向に延在する回転軸周りに回転させた際に、即ち、回転体１０３をベースプレート１０２に対してケーブル挿通孔１０８の中心軸周りに回転させた際に、ケーブルが大きく捩れるという問題があった。特に、ケーブル挿通孔１０８内に挿通させているケーブルの中でも、ケーブル挿通孔１０８の矩形断面の長手方向端部付近に位置するケーブルが、ケーブル挿通孔１０８の回転に伴って大きく捩れ易いという問題があった。また、このような問題は、ケーブル挿通孔１０８の短手方向の幅を大きくすれば解決可能であるが、表示部側本体部は、表示部の厚さと同程度の厚さに形成する必要があるため、ケーブル挿通孔１０８の短手方向の幅を大きくすることには限界がある。
【００１２】
そこで、本発明はこのような従来の問題に鑑み、電子機器の表示部と本体部とを回転可能に連結するヒンジ装置であって、本体部に対して表示部を回転させた際にケーブル挿通孔を通り本体部と表示部を電気的に接続するケーブルの捩れがより少ないヒンジ装置を提供することを目的とする。
【課題を解決するための手段】
【００１３】
上述した課題を解決し、所期の目的を達成するための本発明にかかるヒンジ装置は、電子機器の本体部と連結されるベースプレートと、該ベースプレートに対して回転可能に配設され、前記電子機器の表示部と連結される回転体とを有し、該回転体には、前記表示部と前記本体部とを電気的に接続するケーブルが挿通される貫通孔が形成され、該貫通孔周りに前記回転体が回転するヒンジ装置であって、前記貫通孔は、一方側が長方形状に開口し、他方側が前記長方形状の短手方向の長さよりも大きな径の円形状に開口していることを特徴とする。
【００１４】
また、本発明のヒンジ装置は、上記構成に加えて、前記回転体は、内孔が前記貫通孔となっている円筒状の胴体部と、該胴体部の外周から突出したリング状の張り出し部と、を有し、前記胴体部を前記ベースプレートに形成された貫通孔に挿通させるとともに、外周面にネジ溝が形成された円筒状のネジ部材を前記胴体部の貫通孔に嵌入させ、前記ネジ部材の頭部と前記張り出し部によって、ベースプレートを挟持していることを特徴とする。
【発明の効果】
【００１５】
本発明のヒンジ装置は、電子機器の本体部と連結されるベースプレートと、ベースプレートに対して回転可能に配設され、電子機器の表示部と連結される回転体とを有し、回転体には、表示部と本体部とを電気的に接続するケーブルが挿通される貫通孔が形成され、貫通孔周りに回転体が回転するヒンジ装置において、貫通孔が、一方側が長方形状に開口し、他方側が長方形状の短手方向の長さよりも大きな径の円形状に開口するようにしているので、特に、他方側の開口部において、回転体を回転させた際の表示部と本体部とを接続するケーブルの捩れを少なくすることができる。
【図面の簡単な説明】
【００１６】
【図１】図１は、本発明の実施の形態にかかるヒンジ装置を適用した電子機器を示す斜視図である。
【図２】図２は、同上のヒンジ装置を示す斜視図である。
【図３】図３は、同上のヒンジ装置を示す分解斜視図である。
【図４】図４は、同上のヒンジ装置を示す正面図である。
【図５】図５は、同上のヒンジ装置を示す平面図である。
【図６】図６は、同上のヒンジ装置の回転した状態を示す平面図である。
【図７】図７は、同上のヒンジ装置を示す底面図である。
【図８】図８は、同上のヒンジ装置を示す断面図である。
【図９】図９は、同上のヒンジ装置にケーブルを挿通した状態を示す断面図である。
【図１０】図１０は、本発明の実施の形態にかかるヒンジ装置を適用した電子機器を示す斜視図である。
【図１１】図１１は、本発明の実施の形態にかかるヒンジ装置を適用した電子機器を示す斜視図である。
【図１２】図１２は、本発明の実施の形態にかかるヒンジ装置を適用した電子機器を示す斜視図である。
【図１３】図１３は、従来のヒンジ装置を示す斜視図である。
【図１４】図１４は、従来のヒンジ装置を示す正面図である。
【図１５】図１５は、従来のヒンジ装置を示す底面図である。
【発明を実施するための形態】
【００１７】
以下に、本発明にかかるヒンジ装置の実施の形態を図１〜図１２に基づいて詳細に説明する。図１は、本発明であるヒンジ装置を適用した電子機器の実施形態の１つであるノート型ＰＣ１を示している。このノート型ＰＣ１は、所謂コンバーチブル型のタブレットＰＣである。ノート型ＰＣ１は、本体部２と、表示部３と、これらを回転可能に連結するヒンジ装置１０とを有している。
【００１８】
本体部２は、平面視矩形状の平板状に形成されている。本体部２内には、ＣＰＵ等の制御手段や、メモリ、ハードディスク等の記憶手段や、電源装置等のコンピュータを構成する部品を備えている。本体部２の上面には、入力装置としてキーボード４が配設されている。キーボード４は、文字や記号が印字された複数のキートップ４ａを備えている。操作者が、キートップ４ａを押下するとそのキートップ４ａに対応した信号が本体部２内の制御手段に入力されるようになっている。表示部３は、液晶ディスプレイ、有機ＥＬディスプレイなどの表示装置を備えている。表示部３は、平板状に形成され、一面に表示装置の表示面３ａが配設されている。
【００１９】
このヒンジ装置１０は、ノート型ＰＣ１の本体部２と表示部３とを２軸周りに回転可能に連結するものである。ヒンジ装置１０は、図２に示すように、ベースプレート１１と、ベースプレート１１に対して回転可能に配設されている回転体１２と、を有している。
【００２０】
ベースプレート１１は、ノート型ＰＣ１の本体部２に固定される部分であり、略板状に形成されている。ベースプレート１１の中央部分には、図３に示すように、表裏を貫通する貫通孔１１ａが形成されている。貫通孔１１ａは、平面視円形状に形成されている。また、ベースプレート１１には、クリック用孔１１ｂが形成されている。クリック用孔１１ｂは、ベースプレート１１の下面に開口しており、貫通孔１１ａを挟んで左右の２箇所に形成されている。このベースプレート１１の貫通孔１１ａには、回転体１２が挿通される。
【００２１】
回転体１２は、表示部３が連結される部分であり、上下に伸びる胴体部１３と、胴体部１３の上部から左右に延在する腕部１４と、から構成されている。腕部１４は、基端部が断面略Ｕ字形の樋状に形成され、その延在方向先端側は、略円柱状に形成されている。この円柱状部分の基端部１４ａは、先端側の円柱状部分よりも径の大きな円柱状に形成されている。この円柱状の部分には、回転部材１５が配設されている。回転部材１５は、腕部１４の延在方向に伸びる回転軸周りに回転するように配設されている。従って、回転部材１５に表示部３が固定された際には、表示部３が腕部１４に対して、腕部１４の延在方向に伸びる回転軸周りに回転するようになっている。
【００２２】
回転部材１５は、腕部挿入部１５ａと表示部固定部１５ｂとを備えている。腕部挿入部１５ａは、板状に形成され、表裏を貫通する貫通孔を備えている。この貫通孔に腕部１４の先端部が挿通される。表示部固定部１５ｂは、略板状に形成され、腕部挿入部１５ａの端部から略垂直に腕部１４の先端方向に延在するように配設されている。また表示部固定部１５ｂの延在方向先端部は、側方に折り返されて固定部１５ｃが形成されている。この固定部１５ｃに表示部３が固定される。
【００２３】
回転部材１５の腕部挿入部１５ａの前後には、複数の回転位置決め部材１７ａ，１７ｂ，１７ｃ，１７ｄが腕部１４に挿通されて配設されている。また、腕部１４の先端には、ボルト１６が配設されており、このボルト１６の頭部と腕部１４の基端部１４ａとによって、腕部挿入部１５ａ及び回転位置決め部材１７ａ，１７ｂ，１７ｃ，１７ｄが挟持されている。この回転位置決め部材１７ａ，１７ｂ，１７ｃ，１７ｄによって、表示部３を回転させた際に任意の位置で表示部３の姿勢が保たれるようになっている。
【００２４】
一方、胴体部１３は、表示部側胴体部１３ａと張り出し部１３ｂと本体部側胴体部１３ｃとを備えている。表示部側胴体部１３ａは、胴体部１３の上部の直方体状に形成された部分である。表示部側胴体部１３ａは、表示部３の厚みと同程度の厚みに形成されている。また、この表示部側胴体部１３ａの長手方向両側面から腕部１４が延在している。本体部側胴体部１３ｃは、胴体部１３の下部の略円柱状に形成された部分である。本体部側胴体部１３ｃの外周面には、後述する位置決め部材２１，２３及びスプリング部材２４の内周面側に形成された突部２１ａ，２３ａ，２４ａが嵌る溝部１８が複数形成されている。張り出し部１３ｂは、本体部側胴体部１３ｃと表示部側胴体部１３ａの本体部側胴体部１３ｃよりも大きな径のリング状に形成された部分である。
【００２５】
胴体部１３には、図５〜図９に示すように、上下に貫通する貫通孔であるケーブル挿通孔１９が形成されている。ケーブル挿通孔１９には、本体部２と表示部３とを電気的に接続する複数のケーブル群Ａが挿通される。ケーブル挿通孔１９は、表示部側胴体部１３ａと張り出し部１３ｂと本体部側胴体部１３ｃとを上下に貫通するように形成されている。ケーブル挿通孔１９は、表示部側胴体部１３ａにおいては断面略矩形状に形成され、本体部側胴体部１３ｃにおいては断面略円形状に形成されている。また、ケーブル挿通孔１９は、ケーブル挿通孔１９が表示部側胴体部１３ａから本体部側胴体部１３ｃにかけて滑らかに連続するように、表示部側胴体部１３ａにおけるケーブル挿通孔１９の長手方向端面がテーパー状に形成されている。ケーブル挿通孔１９は、回転体１２の回転軸Ｌと同軸配置となるように形成されている。本体部側胴体部１３ｃの先端部側におけるケーブル挿通孔１９の内周面には、ネジ溝１９ａが切られている。
【００２６】
本体部側胴体部１３ｃの外周には、順に、第一位置決め部材２１、第二位置決め部材２２、ベースプレート１１、第三位置決め部材２３、スプリング部材２４が挿通されている。第一位置決め部材２１と第二位置決め部材２２はリング状に形成されている。第一位置決め部材２１の内周には、前述した本体部側胴体部１３ｃの外周に形成された溝部１８に嵌合される突部２１ａが複数形成されている。第二位置決め部材２２は、その外周から突出する係止部２２ａを備えている。第三位置決め部材２３とスプリング部材２４もリング状に形成され、その内周に前述した本体部側胴体部１３ｃの外周に形成された溝部１８に嵌合される突部２３ａ，２４ａが複数形成されている。また、第三位置決め部材２３の上面には、図示せぬ突起が形成されている。この突起がベースプレート１１のクリック用孔１１ｂに嵌まった際にクリック感が生じるようになっている。スプリング部材２４は、外周側より内周側が下側に突出するように形成されている。
【００２７】
更に、本体部側胴体部１３ｃの先端部には、略円筒状に形成されたネジ部材２５が嵌合されている。ネジ部材２５は、外周にネジ溝２６ａが切ってある円筒状のネジ部２６と、ネジ部２６の端部から外側に張り出すようにリング状に形成されたフランジ部２７とを有している。フランジ部２７のリング状の部分の一部であって対称な部分は、切り欠いてあってネジ部材２５をねじ込む際の把持部となっている。ネジ部材２５は、ネジ部２６の外周に形成されたネジ溝２６ａを本体部側胴体部１３ｃの内周に形成されたネジ溝１９ａに嵌合させるようにして本体部側胴体部１３ｃに配設されている。従って、ネジ部材２５の内孔がケーブル挿通孔１９の一部を構成する。ネジ部材２５を締め付けると、ネジ部材２５のフランジ部２７がスプリング部材２４を押圧するようになっている。そして、ネジ部材２５のフランジ部２７と本体部側胴体部１３ｃとによって、第一位置決め部材２１、第二位置決め部材２２、ベースプレート１１、第三位置決め部材２３、スプリング部材２４を挟持している。
【００２８】
回転体１２は、円筒状に形成された本体部側胴体部１３ｃの中心軸Ｌ周りに、ベースプレート１１に対して回転する。換言すると、回転体１２は、ケーブル挿通孔１９周りに回転する。回転体１２は、図５に示す状態から回転軸Ｌの周りに約１８０度回転するようになっている。また、回転体１２の時計回りと反時計回りと両方に回転することができるようになっている。この際に、第一位置決め部材２１、第三位置決め部材２３、スプリング部材２４は、それぞれ突部２１ａ，２３ａ，２４が溝部１８に嵌合されているため、本体部側胴体部１３ｃと一体に、ベースプレート１１に対して回転する。
【００２９】
また、第二位置決め部材２２の上面には、図示せぬ突起が形成されており、第一位置決め部材２１の下面に形成された図示せぬ凹部に嵌るようになっている。第二位置決め部材２２は、前述の突起が第一位置決め部材２１の凹部嵌った状態では、第一位置決め部材２１とともに回転するようになっている。また、回転体１２を回転させた際には、第二位置決め部材２２の係止部２２ａがベースプレート１１の上面に形成された図示せぬ当接部に当接し、第二位置決め部材２２の回転がとまるようになっている。そして、第二位置決め部材２２の回転が止まった際に、更に回転体１２を回転させると、第二位置決め部材２２の突起が第一位置決め部材２１の凹部から外れるようになっている。
【００３０】
このヒンジ装置１０は、ベースプレート１１と、第二位置決め部材２２及び第三位置決め部材２３との間の摩擦及び、第一位置決め部材２１と第二位置決め部材２２との間の摩擦によって表示部３を回転した際の操作の重みを出している。従って、この操作の重みは、ネジ部材２５の締め付け具合によって調整することができる。
【００３１】
また、ヒンジ装置１０においては、本体部側胴体部１３ｃを円筒状に形成するとともに内周面にネジ溝１９ａを形成し、外周面にネジ溝２６ａを形成したネジ部材２５を嵌めることにより、各位置決め部材を挟持している。従って、従来の２つのネジによって、ネジ止めするスペースが必要なく、ケーブル挿通するためのスペースを大きくとることができる。即ち、従来のヒンジ装置よりもケーブル挿通孔を大きくすることができる。従って、表示部３を本体部２に対して回転軸Ｌの周りに回転させた際のケーブルＡの捩れを低減させることができる。特に、ケーブル挿通孔１９のネジ部材２５によって構成されている部分を通る部分のケーブルＡの捩れを低減することができる。
【００３２】
上述のように構成されたヒンジ装置１０は、ノート型ＰＣ１において、図１０に示すように、表示部３が、本体部２の上面を覆う閉塞位置と、同上面を開放する位置である開放位置との間を開閉するように表示部３と本体部２とを連結している。より詳細には、回転部材１５が腕部１４の中心軸周りに回転することによって表示部３が本体部２に対して開放位置と閉塞位置との間を移動する。また、回転位置決め部材１７ａ，１７ｂ，１７ｃ，１７ｄによって、表示部３が任意の角度で姿勢を保持した状態とすることができるようになっている。
【００３３】
更に、表示部３は、回転体１２をベースプレート１１に対して回転軸Ｌの周りに回転させることにより、図１１に示すように、本体部２に対して水平方向に約１８０度回転させることができる。この表示部３が開放位置であって表示面３ａが背面側を向いた状態から、腕部１４に対して回転部材１５を回転させることにより、表示部３を腕部１４の延在方向に延在する回転軸周りに閉じ方向に回転させると、図１２に示す、表示部３が本体部２に覆いかぶさった状態であって、表示面３ａが本体部２とは反対側向き（図において上向き）の状態であるタブレット使用状態となる。
【００３４】
尚、本実施の形態においては、本発明のヒンジ装置を電子機器であるノート型ＰＣに適用した場合について説明したが、本発明を他の電子機器、例えば携帯型電話機等に適用してもよい。
【符号の説明】
【００３５】
Ａ     ケーブル群
Ｌ     回転軸
１０   ヒンジ装置
１１   ベースプレート
１２   回転体
１３   胴体部
１３ａ 表示部側胴体部
１３ｂ 張り出し部
１３ｃ 本体部側胴体部
１４   腕部
１５   回転部材
１９   ケーブル挿通孔（貫通孔）
１９ａ ネジ溝
２１    第一位置決め部材
２２    第二位置決め部材
２３    第三位置決め部材
２４    スプリング部材
２５   ネジ部材
２６ａ ネジ溝
２６   ネジ部
２７   フランジ部
【図１】
2011169407.tif 000003
【図２】
2011169407.tif 000004
【図３】
2011169407.tif 000005
【図４】
2011169407.tif 000006
【図５】
2011169407.tif 000007
【図６】
2011169407.tif 000008
【図７】
2011169407.tif 000009
【図８】
2011169407.tif 000010
【図９】
2011169407.tif 000011
【図１０】
2011169407.tif 000012
【図１１】
2011169407.tif 000013
【図１２】
2011169407.tif 000014
【図１３】
2011169407.tif 000015
【図１４】
2011169407.tif 000016
【図１５】
2011169407.tif 000017